(57)【特許請求の範囲】
【請求項１】
座の側方に位置する肘掛けを取り付けようとする椅子の被取付部であって、平面視において前方または後方に向かって拡幅する構成部材の拡幅した部分に設けた被取付部と、肘掛けの前記被取付部に取り付ける取付部とのいずれか一方に、二又に分かれた嵌合凸部を設け、同じく他方に二又に分かれた嵌合凹部を設け、前記嵌合凸部における外側面間の幅を、嵌合凸部の先端に向かって漸次狭幅となるようにするとともに、前記嵌合凹部における内側面間の幅を、嵌合凹部の奥に向かって漸次狭幅となるようにし、前記１対の嵌合凸部、および１対の嵌合凸部の間に位置する凹入部を、前記１対の嵌合凹部、および１対の嵌合凹部の間に位置する突部に嵌合し、前記取付部と前記被取付部とを、前記嵌合凸部と前記嵌合凹部との嵌合方向から、締結手段によって締結したことを特徴とする肘掛けの取付構造。
【請求項２】
座の側方に位置する肘掛けを取り付けようとする椅子の被取付部と、肘掛けの前記被取付部に取り付ける取付部とのいずれか一方に、二又に分かれた嵌合凸部を設け、同じく他方に二又に分かれた嵌合凹部を設け、前記嵌合凸部における外側面間の幅を、嵌合凸部の先端に向かって漸次狭幅となるようにするとともに、前記嵌合凹部における内側面間の幅を、嵌合凹部の奥に向かって漸次狭幅となるようにし、前記１対の嵌合凸部、および１対の嵌合凸部の間に位置する凹入部を、前記１対の嵌合凹部、および１対の嵌合凹部の間に位置する突部に嵌合し、前記取付部と前記被取付部とを、前記嵌合凸部と前記嵌合凹部との嵌合方向から、締結手段によって締結するものであって、前記１対の嵌合凹部の間に位置する突部の先端面から、突部の基部に向かってねじ孔を設けるとともに、前記１対の嵌合凸部の間に位置する凹入部の底面にねじ挿通孔を設け、ねじ挿通孔に通したねじを前記ねじ孔に螺合することにより、前記肘掛けの取付部を前記椅子の被取付部に締結したことを特徴とする肘掛けの取付構造。
【請求項３】
前記肘掛けにおける取付部の周囲に、前記椅子における被取付部の周囲の部分に当接するつば部を設けた請求項１または２記載の肘掛けの取付構造。
【発明の詳細な説明】
【技術分野】
【０００１】
本発明は、肘掛けの取付構造に関する。
【背景技術】
【０００２】
事務用の椅子には、事務作業の負担を軽減するため、肘掛けが設けられているものが多い。この種の肘掛けの取付構造としては、背フレームの下部から前方に傾斜するベース杆の側面に、上下方向に連続する平面視山形の凸部および係合孔を設けるとともに、上下方向を向く肘掛け支柱の下部先端に、上下方向に連続するＶ字型の凹溝およびピン状の突部を設け、背フレームの凸部および係合孔に、肘掛け支柱の凹溝および突部を嵌合し、さらに肘掛けと背フレームとをボルトによって締結したものがある（例えば特許文献１参照）。
【先行技術文献】
【特許文献】
【０００３】
【特許文献１】特開２００４−１２１４４４号公報
【発明の概要】
【発明が解決しようとする課題】
【０００４】
特許文献１に記載されている肘掛けの取付構造は、肘掛け支柱と背フレームとの間にがたつきが発生し、着座者による荷重が肘掛けに作用したとき、肘掛けの取付部に発生するせん断応力が大きくなる虞がある。
【０００５】
本発明は、上記問題点に鑑みてなされたもので、肘掛けの取付部と椅子の被取付部との間に、がたつきが発生することがなく、着座者による荷重が肘掛けに作用したとき、肘掛けの取付部に発生するせん断応力を小さくすることができる肘掛けの取付構造を提供することを目的としている。
【課題を解決するための手段】
【０００６】
本発明によると、上記課題は、次のようにして解決される。
（１）座の側方に位置する肘掛けを取り付けようとする椅子の被取付部であって、平面視において前方または後方に向かって拡幅する構成部材の拡幅した部分に設けた被取付部と、肘掛けの前記被取付部に取り付ける取付部とのいずれか一方に、二又に分かれた嵌合凸部を設け、同じく他方に二又に分かれた嵌合凹部を設け、前記嵌合凸部における外側面間の幅を、嵌合凸部の先端に向かって漸次狭幅となるようにするとともに、前記嵌合凹部における内側面間の幅を、嵌合凹部の奥に向かって漸次狭幅となるようにし、前記１対の嵌合凸部、および１対の嵌合凸部の間に位置する凹入部を、前記１対の嵌合凹部、および１対の嵌合凹部の間に位置する突部に嵌合し、前記取付部と前記被取付部とを、前記嵌合凸部と前記嵌合凹部との嵌合方向から、締結手段によって締結した肘掛けの取付構造とする。
【０００７】
このような構成とすると、椅子の被取付部、または肘掛けの取付部の一方における二又に分かれた１対の嵌合凸部の外側面と、他方における二又に分かれた１対の嵌合凹部の内側面とが、同方向に傾斜するテーパ状となっているので、嵌合凸部と、嵌合凹部とが、広い面積で当接する。したがって、肘掛けの取付部と椅子の被取付部との間に、がたつきが発生することがなく、肘掛けに着座者による荷重が作用したときに、肘掛けの取付部に発生するせん断応力を小さくすることができる。
【０００８】
また、前記椅子の被取付部を、平面視において、前方または後方に向かって拡幅する構成部材の拡幅した部分に設けてあるため、座の側方に位置する肘掛けの着座者による荷重が作用する部分と、取付部との水平方向の距離を短くすることができるので、肘掛けに着座者による荷重が作用したときに、肘掛けの取付部に作用する曲げモーメントを小さくできる。
【０００９】
（２）座の側方に位置する肘掛けを取り付けようとする椅子の被取付部と、肘掛けの前記被取付部に取り付ける取付部とのいずれか一方に、二又に分かれた嵌合凸部を設け、同じく他方に二又に分かれた嵌合凹部を設け、前記嵌合凸部における外側面間の幅を、嵌合凸部の先端に向かって漸次狭幅となるようにするとともに、前記嵌合凹部における内側面間の幅を、嵌合凹部の奥に向かって漸次狭幅となるようにし、前記１対の嵌合凸部、および１対の嵌合凸部の間に位置する凹入部を、前記１対の嵌合凹部、および１対の嵌合凹部の間に位置する突部に嵌合し、前記取付部と前記被取付部とを、前記嵌合凸部と前記嵌合凹部との嵌合方向から、締結手段によって締結するものであって、前記１対の嵌合凹部の間に位置する突部の先端面から、突部の基部に向かってねじ孔を設けるとともに、前記凹入部の底面にねじ挿通孔を設け、ねじ挿通孔に通したねじを前記ねじ孔に螺合することにより、前記肘掛けの取付部を前記椅子の被取付部に締結した肘掛けの取付構造とする。
【００１０】
このような構成とすると、肘掛けの取付部と椅子の被取付部とを締結するねじの螺入長さを長くすることができ、ねじによる締結力を強くすることができる。
【００１１】
（３）上記(１)または(２)項において、前記肘掛けにおける取付部の周囲に、前記椅子における被取付部の周囲の部分に当接するつば部を設ける。
【００１２】
このような構成とすると、肘掛けの取付部と、椅子の被取付部との嵌合力が、過大になるのを防止できる。
【発明の効果】
【００１３】
本発明によると、肘掛けの取付部と、椅子の被取付部とのいずれか一方における１対の嵌合凸部の外側面と、同じく他方における１対の嵌合凹部の内側面とが、同方向に傾斜するテーパ状となるため、嵌合凸部と嵌合凹部との嵌着面積が大きくなり、肘掛けの取付部と椅子の被取付部との間にがたつきが発生することがなく、着座者の荷重によって肘掛けの取付部に発生するせん断応力を小さくすることができる。
【００１４】
また、前記椅子の被取付部を、平面視において、前方または後方に向かって拡幅する構成部材の拡幅した部分に設けた形態は、座の側方に位置する肘掛けの着座者による荷重が作用する部分と、取付部との水平方向の距離を短くすることができるので、肘掛けに着座者による荷重が作用したときに、肘掛けの取付部に作用する曲げモーメントを小さくできる。
また、前記１対の嵌合凹部の間に位置する突部の先端面から、突部の基部に向かってねじ孔を設けるとともに、前記凹入部の底面にねじ挿通孔を設け、ねじ挿通孔に通したねじを前記ねじ孔に螺合することにより、前記肘掛けの取付部を前記椅子の被取付部に締結した形態は、肘掛けの取付部と椅子の被取付部とを締結するねじの螺入長さを長くすることができ、ねじによる締結力を強くすることができる。
【図面の簡単な説明】
【００１５】
【図１】本発明の一実施形態を備える肘付き椅子の不使用状態の正面図である。
【図２】同じく、側面図である。
【図３】同じく、使用状態における側面図である。
【図４】同じく、使用状態において、背凭れを後傾させたときの側面図である。
【図５】図２におけるV−V線より見た支基と肘掛けとの取付構造を示す拡大平面図である。
【図６】図２における肘掛けの取付部と支基の被取付部とを斜め後方から見た拡大斜視図である。
【図７】図２におけるVII−VII線拡大断面図である。
【発明を実施するための形態】
【００１６】
以下、本発明の一実施形態を、添付図面に基づいて説明する。
図１および図２に示すように、この肘掛け付き椅子は、先端部にキャスタ１を備える放射状をなす５本の脚杆２を有する脚体３を備えている。脚体３の中央には、ガススプリング(図示略)を備える伸縮式の脚柱４が立設され、脚柱４の上端には、前方を向く支基５の後部が固着されている。
【００１７】
支基５は、前方に向かって拡開する平面視三角形の浅い皿状(図５参照)をなすとともに、図２に示すように、側面視において前上方に向かって傾斜している。また、支基５は、図１に示すように、前方より見て上向きコ字状をなし、前方に開口しているので、支基５への部材の取付け作業時に、側方や後方だけでなく、前方からも部材や工具等を挿入し易いようになっている。
【００１８】
座６は、図２に示すように、合成樹脂製の座板７と、その上面に取付けられたクッション材８とからなり、座板７の前端両側部を、支基５の前端両側部に左右方向を向く枢軸９をもってそれぞれ枢着することにより、後上向きに傾斜する不使用位置と、図３に示すように、水平、または後下向きに傾斜する使用位置とに、枢軸９を中心として回動可能である。この回動範囲は、ほぼ１５度程度とするのが好ましい。
座６は、付勢手段１０により、常時不使用位置に向かって上向きに付勢されている。
【００１９】
図２に示すように、座板７の後部両側には、背凭れ１１の下部両側を前方の折曲した部分の前部が、左右方向を向く支軸１２をもってそれぞれ枢着され、背凭れ１１は、図２および図３に示すように、ほぼ上方を向く起立位置と、図４に示すような後傾位置とに、支軸１２を中心として回動可能である。なお、この背凭れ１１およびその枢着部分の具体的な構造については、本発明と直接関係しないので、その詳細な図示および説明は省略する。
【００２０】
図２に示すように、支基５における後部と、背凭れ１１における上記支軸１２より下方の部分とは、前後方向を向く弾性伸縮可能の押動杆１３により連結されている。
座６の不使用位置から使用位置(図３参照)への下向き回動時に、この押動杆１３により、背凭れ１１の下端部が後方に押動されて、背凭れ１１は起立状態に維持され、また押動杆１３が弾性収縮することにより、背凭れ１１は、この押動杆１３の弾性復元力に抗して、図４に示すように、後傾させることができる。
【００２１】
図２および図５に示すように、支基５の拡開した前部における両側面５ａの枢軸９より後方には、肘掛け１４が取り付けられている。この肘掛け１４は、図１に示すように、支基５から座６の下方を通って、座６の外側方から上方に起立するようにした正面視内向きＬ字状をなす肘掛け支柱１５と、肘掛け支柱１５の上端に固着された比較的柔らかい肘当て部材１６とからなっている。
【００２２】
肘掛け支柱１５における座６の側方より起立する部分は、側面視において前後方向の幅が上方に向かって漸次大きくなるほぼ三角形の枠状をなしている。肘掛け支柱１５の上部後面は、側面視において背凭れ１１の側部前面とほぼ同様な曲面で後上向きに傾斜している。
【００２３】
肘掛け１４における肘掛け支柱１５の内方を向く下部先端には、図６に示すように、支基５に取り付けるための取付部１７が設けられ、支基５の拡開した前部側面５ａには、肘掛け１４の取付部１７を取り付ける被取付部１８が設けられている。
【００２４】
肘掛け１４の取付部１７には、前後方向に二又に分かれた１対の嵌合凸部１７ａ、１７ｂが設けられ、１対の嵌合凸部１７ａ、１７ｂの間には、凹入部１７ｃが設けられている。嵌合凸部１７ａ、１７ｂは、先端が窄まる四角柱をなしている。そして、嵌合凸部１７ａ、１７ｂの上下の外側面間の幅、および前後の外側面間の幅は、嵌合凸部１７ａ、１７ｂの先端に向かって漸次狭幅となり、上下および前後の外側面は、テーパ状となっている。
【００２５】
嵌合凸部１７ａ、１７ｂの間に位置する凹入部１７ｃの前後の内側面間の幅は、奥に向かって漸次狭幅となり、前後の内側面は、嵌合凸部１７ａ、１７ｂの外側面とは反対の逆テーパ状となっている。凹入部１７ｃの凹入深さは、嵌合凸部１７ａ、１７ｂの最大突出寸法より浅くなっている。
【００２６】
嵌合凹部１８ａ、１８ｂの上下および前後の内側面間の幅は、嵌合凹部１８ａ、１８ｂの奥に向かって漸次狭幅となり、嵌合凹部１８ａ、１８ｂの間に位置する突部２２の前後の外側面間の幅は、突部２２の先端に向かって漸次狭幅となっている。突部２２の外側面は、嵌合凹部１８ａ、１８ｂの内側面とは反対の逆テーパ状となっている。
【００２７】
図７に示すように、突部２２の突出寸法は、凹部１８ａ、１８ｂの最大凹入寸法より小さくなっている。突部２２の先端面には、突部２２の基部に向かって、支基５の内側面まで貫通するねじ孔２３が設けられている。
【００２８】
肘掛け支柱１５の取付部１７における下側面には、凹部１９が設けられ、この凹部１９の底面には、凹入部１７ｃの底面まで貫通するねじ挿通孔２０が設けられている。また、取付部１７の周囲には、支基５の被取付部１８における周囲の部分に当接するつば部２４が設けられている。
【００２９】
肘掛け１４の取付部１７を支基５の被取付部１８に取り付ける場合は、肘掛け支柱１５の１対の嵌合凸部１７ａ、１７ｂ、および凹入部１７ｃを、支基５の１対の嵌合凹部１８ａ、１８ｂ、および突部２２に嵌合した後、肘掛け１４の座グリ用の凹部１９からねじ挿通孔２０に通したねじ２１を、支基５の突部２２におけるねじ孔２３に螺合することにより、取付部１７と被取付部１８とを、嵌合部１７ａ、１７ｂおよび嵌合凹部１８ａ、１８ｂの嵌合方向から締結する。
【００３０】
以上のような構成とした肘掛け付き椅子は、図２に示す不使用状態では、付勢手段１０の付勢力によって、座６の後部が上方に持ち上げられ、座６は後上向き傾斜する不使用位置に位置しており、背凭れ１１は、押動杆１３の伸長により、ほぼ上方を向く起立位置に保持されている。
【００３１】
この状態で、使用者が着座すると、座６は着座者の荷重により、付勢手段１０の付勢力に抗して、図３に示す使用位置まで回動させられ、着座者は迅速に適正な着座姿勢を取ることができる。
【００３２】
図３に示す着座状態から、着座者が背中を背凭れ１１に凭せかけて背を後方に倒すと、背凭れ１０は、押動杆１３を弾性収縮させつつ、支軸１２を中心として、図４に示すような後傾位置まで回動させられる。
【００３３】
着座者が背中を前方に戻すと、背凭れ１１は、押動杆１３の弾性復元力による伸長によって、支軸１２を中心として前方に回動させられ、元の起立位置まで戻される。
【００３４】
図３に示す着座状態から、着座者が立上がろうとすると、座６は、付勢手段１０によって不使用位置に向かって上向き回動するように付勢され、着座者の起立をアシストすることができる。
【００３５】
なお、椅子５の被取付部１８に嵌合凸部を設け、肘掛け１４の取付部１７に嵌合凹部を設けることもできる。また、肘掛け１４は、支基５に限らず、椅子の座や、背凭れまたは背凭れ支持杆等の任意の構成部材に取り付けることができる。この場合、平面視において前方または後方に向かって拡幅する部材に肘掛け１４を取り付けるには、拡幅した部分に取り付けるのが好ましい。
【符号の説明】
【００３６】
１  キャスタ
２  脚杆
３  脚体
４  脚柱
５  支基
５ａ  側面
６  座
７  座板
８  クッション材
９  枢軸
１０  付勢手段
１１  背凭れ
１２  支軸
１３  押動杵
１４  肘掛け
１５  肘掛け支柱
１６  肘当て部材
１７  嵌合部
１７ａ、１７ｂ  嵌合凸部
１７ｃ  凹入部
１８  被嵌合部
１８ａ、１８ｂ  嵌合凹部
１９  凹部
２０  ねじ挿通孔
２１  ねじ
２２  突部
２３  ねじ孔
２４  つば部
【図１】
0005632253.tif 000002
【図２】
0005632253.tif 000003
【図３】
0005632253.tif 000004
【図４】
0005632253.tif 000005
【図５】
0005632253.tif 000006
【図６】
0005632253.tif 000007
【図７】
0005632253.tif 000008